(57)【特許請求の範囲】
【請求項１】
水を密閉型タンクに供給し、その密閉型タンク内の水を各熱源機で加熱して温水とし、その温水を前記密閉型タンクに一旦貯え、その密閉型タンク内の温水を開放型タンクに供給して貯える給湯装置において、
前記密閉型タンクから前記開放型タンクへの温水の流路に設けられた流量調整弁と、
前記密閉型タンク内の温水の温度を検知する温度センサと、
前記温度センサの検知温度に応じて前記流量調整弁の開度を制御する制御手段と、
前記開放型タンク内の水位を検出する水位検出手段と、
を備え、
前記制御手段は、前記温度センサの検知温度に応じて前記各熱源機の運転台数および前記流量調整弁の開度を制御する第１制御手段と、前記水位検出手段の検出水位が満水近くに達した場合に前記第１制御手段の制御に関わらず前記各熱源機の運転台数を減らす第２制御手段と、前記水位検出手段の検出水位が満水に達した場合に前記第１制御手段の制御に関わらず前記各熱源機の運転を停止する第３制御手段と、前記水位検出手段の検出水位が満水に達していない場合の前記各熱源機の運転停止に際し前記温度センサの検知温度が所定値未満の状態を一定時間継続するまで前記流量調整弁の開状態を維持して前記密閉型タンク内の温水を前記開放型タンクに導きその後に前記流量調整弁を全閉する第４制御手段と、を有する、
ことを特徴とする給湯装置。
【請求項２】
前記密閉型タンクは、供給される水の流入口および前記各熱源機への水の流出口を下部に有するとともに、前記各熱源機からの温水の流入口および前記開放型タンクへの温水の流出口を上部に有することを特徴とする請求項１に記載の給湯装置。
【請求項３】
前記流量調整弁は、互いに並列に接続された複数の流量調整弁であり、
前記制御手段は、前記各流量調整弁のいずれかに異常が生じた場合に前記第１制御手段の制御に関わらず残りの流量調整弁を全開する第５制御手段、をさらに有する、
ことを特徴とする請求項１記載の給湯装置。
【請求項４】
水を密閉型タンクに供給し、その密閉型タンク内の水を各熱源機で加熱して温水とし、その温水を前記密閉型タンクに一旦貯え、その密閉型タンク内の温水を開放型タンクに供給して貯える給湯装置において、
前記密閉型タンクから前記開放型タンクへの温水の流路に設けられた流量調整弁と、
前記密閉型タンク内の温水の温度を検知する温度センサと、
前記温度センサの検知温度に応じて前記流量調整弁の開度を制御する制御手段と、
を備え、
前記温度センサは、前記密閉型タンクの深さ方向に沿って順次に設けられた複数の温度センサであり、
前記制御手段は、前記各温度センサのうち上方側に位置する温度センサの検知温度が設定値を維持するように前記各熱源機の運転台数および前記流量調整弁の開度を制御するとともに、前記各温度センサのいずれかに異常が生じたときには、その異常が生じた温度センサを除く温度センサのうち、なるべく上方側に位置する温度センサの検知温度に応じて前記各熱源機の運転台数および前記流量調整弁の開度を制御する、
ことを特徴とする給湯装置。
【発明の詳細な説明】
【技術分野】
【０００１】
この発明は、複数の熱源機を備えた給湯装置に関する。
【背景技術】
【０００２】
圧縮機の吐出冷媒を水熱交換器、減圧器、室外熱交換器に通して圧縮機に戻し水熱交換器を凝縮器として機能させるヒートポンプ式冷凍サイクルを備えるとともに、水を密閉型タンクに供給し、タンクの水をポンプにより水熱交換器に通して循環させることによりタンクに湯水を貯える給湯装置がある（例えば特許文献１）。
【０００３】
このような給湯装置では、湯の使用量が多い施設での使用が可能なように、上記水熱交換器を有するヒートポンプ式冷凍サイクルおよびその水熱交換器に水を循環させる水サイクルからなる熱源機を複数台設置し、これら熱源機の運転台数を制御できるようにしたものがある。
【特許文献１】特開２００５―３０８２５０号公報
【発明の開示】
【発明が解決しようとする課題】
【０００４】
複数台の熱源機を有する給湯装置の場合、必要な温度の温水を常にタンクに貯えておくことが重要である。
【０００５】
この発明は上記の事情を考慮したもので、その目的は、必要な温度の温水を常にタンクに貯えておくことができ、これにより給湯負荷への常に安定した温水供給が可能な信頼性にすぐれた給湯装置を提供することである。
【課題を解決するための手段】
【０００６】
請求項１に係る発明の給湯装置は、水を密閉型タンクに供給し、その密閉型タンク内の水を各熱源機で加熱して温水とし、その温水を上記密閉型タンクに一旦貯え、その密閉型タンク内の温水を開放型タンクに供給して貯えるものであって、上記密閉型タンクから上記開放型タンクへの温水の流路に設けられた流量調整弁と、上記密閉型タンク内の温水の温度を検知する温度センサと、この温度センサの検知温度に応じて上記流量調整弁の開度を制御する制御手段と、上記開放型タンク内の水位を検出する水位検出手段と、を備える。そして、上記制御手段は、上記温度センサの検知温度に応じて上記各熱源機の運転台数および上記流量調整弁の開度を制御する第１制御手段と、上記水位検出手段の検出水位が満水近くに達した場合に上記第１制御手段の制御に関わらず上記各熱源機の運転台数を減らす第２制御手段と、上記水位検出手段の検出水位が満水に達した場合に上記第１制御手段の制御に関わらず上記各熱源機の運転を停止する第３制御手段と、上記水位検出手段の検出水位が満水に達していない場合の上記各熱源機の運転停止に際し前記温度センサの検知温度が所定値未満の状態を一定時間継続するまで上記流量調整弁の開状態を維持して上記密閉型タンク内の温水を上記開放型タンクに導きその後に上記流量調整弁を全閉する第４制御手段と、を有する。
【発明の効果】
【０００７】
この発明の給湯装置によれば、必要な温度の温水を常にタンクに貯えておくことができる。これにより、給湯負荷への常に安定した温水供給が可能となって、信頼性の向上が図れる。
【発明を実施するための最良の形態】
【０００８】
以下、この発明の一実施形態について図面を参照して説明する。  
図１に示すように、複数台の熱源機１が給水側主配管２と給湯側主配管３との間に並列に接続されるとともに、その給水側主配管２および給湯側主配管３との間に温水を密閉型タンクユニット４が接続されている。
【０００９】
密閉型タンクユニット４は、給水側主配管２の上流側が接続される配管接続口４１、およびこの配管接続口４１に流入した水の圧力を一定に保つ減圧弁４２を有し、この減圧弁４２を経た水を密閉型タンク４３の下部に流入させ、その密閉型タンク４３内の水を配管接続口４２から給水側主配管２の下流側に導く。さらに、密閉型タンクユニット４は、給湯側主配管３の上流側が接続される配管接続口４５、この配管接続口４５に流入した温水を上記密閉型タンク４３の上部に流入させてその密閉型タンク４３に一旦貯え、その貯えた温水を圧力逃がし弁４６、複数の流量調整弁５１，５２，５３、および配管接続口４７を介して開放型タンク５に供給する。流量調整弁５１，５２，５３は、密閉型タンク４３から開放型タンク５への温水の流路において互いに並列に接続されている。密閉型タンク４３の下部の開口は水の流入口と流出口とを兼ねており、密閉型タンク４３の上部の開口は温水の流入口と流出口とを兼ねている。また、密閉型タンク４３に対し、密閉型タンク４３の深さ方向に沿って複数の温度センサＴ１，Ｔ２，Ｔ３，Ｔ４，Ｔ５が取付けられている。これら温度センサＴ１，Ｔ２，Ｔ３，Ｔ４，Ｔ５は、密閉型タンク４３の深さ方向に沿って順次に設けられており、最上部が温度センサＴ５、最下部が温度センサＴ１となっている。
【００１０】
給水側主配管２は、密閉型タンク４３の下部の開口に接続され、水源（図示しない）の水を密閉型タンク４３に供給するとともに、その密閉型タンク４３内の水を各熱源機１に供給する働きをする。給湯側主配管３は、各熱源機１から流出する温水を密閉型タンク４３に供給するとともに、密閉型タンク４３内の温水を開放型タンク５に供給する働きをする。
【００１１】
開放型タンク５は、給湯側主配管３から供給される温水を貯え、貯えた温水を温水配管（図示しない）を介して給湯負荷へと供給するもので、内部の温水の水位を検出するための水位検出手段６を有している。水位検出手段６としては、互いに長さの異なる複数の電極棒の液体を通した相互間通電によって水位を検出する電極棒検出ユニット、あるいは開放型タンク５内の温水の圧力を圧力センサで検知してその検知圧力から水位を検出するものなど、いずれでもよい。
【００１２】
各熱源機１の具体的な構成を図２に示す。  
すなわち、圧縮機１１から吐出される冷媒が四方弁１２を介して水熱交換器１３に流れ、その水熱交換器１３を経た冷媒が減圧器である膨張弁１４、室外熱交換器１５、および上記四方弁１２を通って圧縮機１１に吸込まれる。室外熱交換器１５に外気を供給するための室外ファン１６がその室外熱交換器１５の近傍に設けられている。これら圧縮機１１から室外ファン１６までの機器により、ヒートポンプ式冷凍サイクルが構成されている。  
上記給水側主配管２から第１三方弁２２の第１流路の一端に第１配管２１が接続され、その第１三方弁２２の第１流路および第２流路のそれぞれ他端から上記水熱交換器１３の水入口にポンプ２４を介して第２配管２３が接続されている。さらに、水熱交換器１３の水出口から第２三方弁２６の第３流路および第４流路のそれぞれ一端に第３配管２５が接続され、その第３流路の他端から第１三方弁２２の第２流路の一端に第４配管２７が接続されている。また、第４配管２７の中途部から給湯側主配管３に第５配管２８が接続されるとともに、第２三方弁２６の第４流路の他端から上記第１配管２１に第６配管２９が接続されている。これら第１配管２１から第６配管２９までの部品により、水サイクルが構成されている。
【００１３】
なお、第１三方弁２２は選択的な開閉が可能な第１流路および第２流路を有し、第２三方弁２６は選択的な開閉が可能な第３流路および第４流路を有している。
【００１４】
水熱交換器１３に熱交換器温度センサ３１が取付けられ、第２配管２３における水熱交換器１３の水入口近傍に流入側温度センサ３２が取付けられ、第３配管２５における水熱交換器１３の水出口近傍に流出側温度センサ３３が取付けられている。熱交換器温度センサ３１は、水熱交換器１３の温度（凝縮温度）Ｔc（℃）を検知する。流入側温度センサ３２は、水熱交換器１３に流入する水（または温水）の温度Ｔwi（℃）を検知する。流出側温度センサ３３は、水熱交換器１３から流出する温水（または水）の温度Ｔwo（℃）を検知する。
【００１５】
圧縮機１１と四方弁１２との間の高圧側冷媒配管に吐出冷媒温度センサ６１および高圧スイッチ６２が取付けられ、室外熱交換器１５に熱交換器温度センサ６３が取付けられている。吐出冷媒温度センサ６１は、圧縮機１１の吐出冷媒温度Ｔdを検知する。高圧スイッチ６２は、圧縮機１１の吐出冷媒圧力（高圧側圧力）Ｐｄの異常上昇時に作動する。熱交換器温度センサ６３は、室外熱交換器１５の温度（蒸発温度）Ｔe（℃）を検知する。
【００１６】
そして、上記各熱源機１、密閉型タンクユニット４、および水位検出手段６が制御部７に接続されている。制御部７は、主要な機能として、次の（１）〜（12）の手段を有する。  
（１）熱源機１の運転開始に際し、ヒートポンプ式冷凍サイクルの運転およびポンプ２４の運転を開始し、熱交換器温度センサ３１の検知温度Ｔcまたは流入側温度センサ３２の検知温度Ｔwiが設定値に達するまで、第２三方弁２６の第３流路を閉じて第４流路を開き、かつ第１三方弁２２の第１流路を開いて第２流路を閉じることにより、ポンプ２４、水熱交換器１３、第３配管２５、第２三方弁２６の第４流路、第６配管２９、第１配管２１、第１三方弁２２の第１流路を通して水が循環する初期循環回路を形成する初期制御手段。
【００１７】
（２）上記初期制御手段による初期循環回路の形成後、熱交換器温度センサ３１の検知温度Ｔcまたは流入側温度センサ３２の検知温度Ｔwiが設定値を超えると、第１三方弁２２の第１流路を開いて第２流路を閉じ、かつ第２三方弁２６の第３流路を開いて第４流路を閉じることにより、給水側主配管２の水を第１配管２１、第１三方弁２２の第１流路、第２配管２３、ポンプ２４を通して水熱交換器１３に送り、その水熱交換器１３から流出する温水を第３配管２５、第２三方弁２６の第３流路、第４配管２７、第５配管２８を通して給湯側主配管３に送る出湯回路を形成する出湯制御手段。
【００１８】
（３）熱交換器温度センサ４３の検知温度Ｔeが設定値未満（例えば０℃）の状態を所定時間以上にわたり継続した場合に、室外熱交換器１５が着霜していると判定する着霜判定手段。
【００１９】
（４）上記着霜判定手段の判定結果が着霜のとき、室外熱交換器１５の除霜が必要であるとの判断の下に、圧縮機１１の運転を停止するとともに、第２三方弁２６の第３流路を開いて第４流路を閉じ、かつ第１三方弁２２の第１流路を閉じて第２流路を開くことにより、温水が水熱交換器１３、第３配管２５、第２三方弁２６の第３流路、第４配管２７、第１三方弁２２の第２流路、ポンプ２４を通って循環する温水循環回路を形成する温水循環制御手段。
【００２０】
（５）上記温水循環制御手段による温水循環回路の形成後、圧縮機１１の運転を再開して同圧縮機１１の吐出冷媒が室外熱交換器１５、膨張弁１４、水熱交換器１３を通って圧縮機１１に戻る除霜サイクルを形成する除霜制御手段。
【００２１】
（６）上記除霜制御手段による除霜サイクルの形成後、第１三方弁２２の第１流路を閉じて第２流路を開き、かつ第２三方弁２６の第３流路を閉じて第４流路を開くことにより、給湯側主配管３の温水が第５配管２８、第４配管２７、第１三方弁２２の第２流路、ポンプ２４を通って水熱交換器１３に流れ、その水熱交換器１３を経た水が第３配管２５、第２三方弁２６の第４流路、第６配管２９、第１配管２１を通って給水側主配管２に流れる温水利用除霜回路を形成する温水利用除霜制御手段。
【００２２】
（７）上記温水利用除霜制御手段による温水利用除霜回路の形成後、流出側温度センサ３３の検知温度Ｔwoが所定値（Ｔwoa＋ΔＴ）以上に上昇すると温水利用除霜回路から上記温水循環回路の形成に切換え、流出側温度センサ３３の検知温度Ｔwoが所定値Ｔwoa未満に下降すると温水循環回路から上記温水利用除霜回路の形成に切換える切換制御手段。
【００２３】
（８）温度センサＴ１，Ｔ２，Ｔ３，Ｔ４，Ｔ５のうち上方側に位置する例えば温度センサＴ４の検知温度に応じて、各熱源機１の運転台数および流量調整弁５１，５２，５３の開度を制御する第１制御手段。なお、温度センサＴ１，Ｔ２，Ｔ３，Ｔ４，Ｔ５のいずれかに異常が生じたときには、その異常が生じた温度センサを除く温度センサのうち、なるべく上方側に位置する温度センサの検知温度に応じて、各熱源機１の運転台数および流量調整弁５１，５２，５３の開度を制御するという条件が設定されている。つまり、温度センサＴ４に異常が生じた場合は例えば温度センサＴ５の検知温度を温度センサＴ４用に補正して制御に使用し、温度センサＴ４，Ｔ５に異常が生じた場合は温度センサＴ３の検知温度を温度センサＴ４用に補正して制御に使用することになる。
【００２４】
（９）水位検出手段６の検出水位が満水近くに達した場合に、上記第１制御手段の制御に関わらず、各熱源機１の運転台数を減らす第２制御手段。
【００２５】
（10）水位検出手段６の検出水位が満水に達した場合に、上記第１制御手段の制御に関わらず、各熱源機１の運転を停止する第３制御手段。
【００２６】
（11）水位検出手段６の検出水位が満水に達していない場合の各熱源機１の運転停止に際し、最上部の温度センサＴ５の検知温度が所定値未満の状態を一定時間継続するまで流量調整弁５１，５２，５３の開状態を維持して密閉型タンク４３内の温水を開放型タンク５に導きその後に流量調整弁５１，５２，５３を全閉する第４制御手段。
【００２７】
（12）流量調整弁５１，５２，５３のいずれかに異常が生じた場合に、上記第１制御手段の制御に関わらず、残りの流量調整弁を全開する第５制御手段。
【００２８】
つぎに、上記の構成の作用について説明する。  
（ａ）初期循環回路および出湯回路  
熱源機１の運転開始に際し、ヒートポンプ式冷凍サイクルの運転およびポンプ２４の運転が開始され、図３に示す条件に基づき、熱交換器温度センサ３１の検知温度Ｔcが設定値Ｔcsに達するまで、または流入側温度センサ３２の検知温度Ｔwiが設定値Ｔwisに達するまで、第２三方弁２６の第３流路が閉じられて第４流路が開かれ、かつ第１三方弁２２の第１流路が開かれて第２流路が閉じられる。これにより、図２に矢印で示すように、ヒートポンプ式冷凍サイクルにおいて、圧縮機１１の吐出冷媒が四方弁１２、水熱交換器１３、膨張弁１４、室外熱交換器１５、四方弁１２を通って圧縮機１１に吸込まれる流れが生じて水熱交換器が凝縮器として機能する。水サイクルでは、水がポンプ２４、水熱交換器１３、第３配管２５、第２三方弁２６の第４流路、第６配管２９、第１配管２１、第１三方弁２２の第１流路を通って循環する初期循環回路が形成される。
【００２９】
この初期循環回路の形成後、図３に示す条件に基づき、熱交換器温度センサ３１の検知温度Ｔcが設定値Ｔcsを超えたとき、または流入側温度センサ３２の検知温度Ｔwiが設定値Ｔwisを超えたとき、第１三方弁２２の第１流路が開かれて第２流路が閉じられ、かつ第２三方弁２６の第３流路が開かれて第４流路が閉じられる。これにより、図４に矢印で示すように、給水側主配管２の水が第１配管２１、第１三方弁２２の第１流路、第２配管２３、ポンプ２４を通って水熱交換器１３に送られ、その水熱交換器１３から流出する温水が第３配管２５、第２三方弁２６の第３流路、第４配管２７、第５配管２８を通って給湯側主配管３に送られる出湯回路が形成される。
【００３０】
このように、運転開始時は、先ず初期循環回路を形成して水熱交換器１３を温め、水熱交換器１３が十分に温まってから給湯側主配管３への出湯を行うことにより、給湯側主配管３を流れる温水の不要な温度低下を回避することができて、十分に温度上昇した高温水が給湯側主配管３および密閉型タンク４３に供給される。
【００３１】
とくに、複数台の熱源機１を備え、その各熱源機１の運転台数を変えることができるので、全体の給湯能力を増大できるとともに、その給湯能力を広範囲で調節することができ
（ｂ）停止中の熱源機１への温水の流入阻止  
停止中の熱源機１では、第２三方弁２６の第３流路が閉じられて第４流路が開かれ、かつ第１三方弁２２の第１流路が開かれて第２流路が閉じられ、給湯回路が解除されて図２の初期循環回路が準備される。これにより、運転中の熱源機１で作られた給湯側主配管３内の温水が停止中の熱源機１の水サイクルに流入することがなくなり、運転中の熱源機１で作られた温水およびその熱エネルギを無駄なく密閉型タンク４３に供給して貯えることができ、省エネルギ性および信頼性の向上が図れる。
【００３２】
（ｃ）除霜  
熱源機１の運転中、蒸発器として機能する室外熱交換器１５の表面に徐々に霜が付着する。そこで、運転中、熱交換器温度センサ４３の検知温度Ｔeが監視され、その検知温度Ｔeが設定値未満（例えば０℃）の状態を所定時間以上にわたり継続すると、室外熱交換器１５が着霜していると判定される。
【００３３】
この着霜判定時、室外熱交換器１５の除霜が必要であるとの判断の下に、除霜運転が実行される。
【００３４】
この除霜運転では、初めの数秒間だけ圧縮機１１の運転が停止され、水サイクルにおいて、図５に矢印で示すように、第２三方弁２６の第３流路が開かれて第４流路が閉じられ、かつ第１三方弁２２の第１流路が閉じられて第２流路が開かれ、温水が水熱交換器１３、第３配管２５、第２三方弁２６の第３流路、第４配管２７、第１三方弁２２の第２流路、ポンプ２４を通って循環する温水循環回路が形成される。この温水循環回路の形成により、水熱交換器１３の冷媒流路領域を含む全体が温水の予熱を受けて高温の均一状態となる。
【００３５】
初めの数秒間が経過した後、温水循環回路を維持したまま、圧縮機１１の運転が再開されるとともに四方弁１２が切換えられ、図５に矢印で示すように、圧縮機１１の吐出冷媒が四方弁１２、室外熱交換器１５、膨張弁１４、水熱交換器１３を通って圧縮機１１に戻る除霜サイクルが形成される。この温水循環回路および除霜サイクルにより、水サイクルの温水の余熱が室外熱交換器１５に対する除霜熱として有効に利用される。
【００３６】
こうして、温水の予熱を利用した除霜が行われているとき、図６に示すように流出側温度センサ３３の検知温度Ｔwoが所定値Ｔwoa未満に下降すると、予熱による除霜が限界となったとの判断の下に、またそのままでは室外熱交換器１５が凍結に至る心配があることから、第１三方弁２２の第１流路が閉じられて第２流路が開かれ、かつ第２三方弁２６の第３流路が閉じられて第４流路が開かれる。これにより、図７に矢印で示すように、給湯側主配管３の温水が第５配管２８、第４配管２７、第１三方弁２２の第２流路、ポンプ２４を通って水熱交換器１３に流れ、その水熱交換器１３を経た水が第３配管２５、第２三方弁２６の第４流路、第６配管２９、第１配管２１を通って給水側主配管２に流れる温水利用除霜回路が形成される。この温水利用除霜回路により、給湯側主配管３または密閉型タンク４３の高温水の熱が室外熱交換器１５の除霜に利用される。
【００３７】
なお、温水利用除霜回路では、水熱交換器１３を経た水が第３配管２５、第２三方弁２６の第４流路、第６配管２９、第１配管２１を通って給水側主配管２に流れるため、水熱交換器１３での除霜側への熱移動量が少なくて水熱交換器１３から流出する水の温度低下が少ないと、温度の高い水が給水側主配管２に流れ込んで他の熱源機１の水サイクルに流入するという事態を生じる。この場合、温度の高い水が流入した他の熱源機１では、冷凍サイクルの高圧側圧力が異常上昇して高圧スイッチ４２が作動し、高圧保護制御が働いて不要に運転が停止してしまうことがある。
【００３８】
このような高圧保護制御による不要な運転停止を避けるため、図６の条件に従い、流出側温度センサ３３の検知温度Ｔwoが所定値（Ｔwoa＋ΔＴ）以上に上昇したとき、温水利用除霜回路から温水循環回路に切換えられる。
【００３９】
流出側温度センサ３３の検知温度Ｔwoが所定値Ｔwoa未満に下降した場合には、十分な除霜熱を得るため、温水循環回路から温水利用除霜回路に切換えられる。
【００４０】
（ｄ）温度制御  
運転が開始されると、密閉型タンク４３には給水側主管２からの水と給湯側主管３からの温水とが共に流入する。この密閉型タンク４３内の水および温水の温度が温度センサＴ１，Ｔ２，Ｔ３，Ｔ４，Ｔ５で検知され、これら温度センサのうち上方側に位置する温度センサＴ４の検知温度（つまり温水温度）が設定値を維持するように、各熱源機１の運転台数および流量調整弁５１，５２，５３の開度が制御される。
【００４１】
たとえば、運転開始に際し、温度センサＴ４の検知温度が設定値より低ければ、その検知温度に対応する所定台数の熱源機１が起動され、温度センサＴ４の検知温度が設定値に達したら、流量調整弁５１，５２，５３の開度がその起動台数に対応する初期開度に設定され、全閉状態の流量調整弁５１，５２，５３が初期開度で１分間開かれる。１分間の経過後、温度センサＴ４の検知温度が設定値を維持するように流量調整弁５１，５２，５３の開度が制御される。
【００４２】
この温度制御により、給湯に必要な温度の温水を常に開放型タンク５に貯えておくことができる。とくに、互いに並列接続した複数の流量調整弁５１，５２，５３を温水の流路に設けているので、開放型タンク５への温水流量をきめ細かく調節することが可能である。これに伴い、給湯負荷への常に安定した温水供給が可能となって給湯の信頼性が向上するとともに、密閉型タンク４３内の上層域に高温の温水が存して下層域に低温の水が存するという理想的な温水温度分布が形成される。
【００４３】
なお、温度センサＴ４に何らかの異常が生じた場合は、例えば温度センサＴ５の検知温度が温度センサＴ４用に補正されて制御に使用され、温度センサＴ４，Ｔ５に異常が生じた場合は温度センサＴ３の検知温度が温度センサＴ４用に補正されて制御に使用される。これにより、温度センサＴ４の異常にかかわらず、上記温度制御を継続することができる。
【００４４】
（ｅ）満水制御  
開放型タンク５が満水に近くなると、開放型タンク５からの逆圧により、流量調整弁５１，５２，５３を全開にしても、開放型タンク５に流れる温水の流量が減ってしまう。このままでは、密閉型タンク４３が温水で満杯となり、密閉型タンク４３内の上層域に高温の温水が存して下層域に低温の水が存するという理想的な温水温度分布が崩れて、密閉型タンク４３の下部から各熱源機１側に温水が流れ出てしまう。この温水の流出は、熱エネルギの無駄であると同時に、各熱源機１におけるヒートポンプ式冷凍サイクルが過給湯負荷運転となってその高圧側圧力の異常上昇を招くなど、好ましくない。
【００４５】
そこで、開放型タンク５における水位検出手段６の検出水位が満水近くに達すると、上記温度センサＴ４の検知温度に応じた制御に関わらず、各熱源機１の運転台数が強制的に減らされる。この運転台数の低減により、密閉型タンク４３が温水で満杯となる事態を未然に防ぐようにしている。
【００４６】
また、水位検出手段６の検出水位が満水に達した場合には、安全のため、各熱源機１の運転が強制的に停止される。
【００４７】
（ｆ）停止後の温水の有効利用  
水位検出手段６の検出水位が満水に達していない場合の各熱源機１の運転停止に際しては、密閉型タンク４３に貯まった温水を有効に利用するため、最上部の温度センサＴ５の検知温度が所定値未満たとえば３０℃未満または３５℃未満の状態を一定時間たとえば３分間継続するまで、流量調整弁５１，５２，５３の開状態が維持される。これにより、密閉型タンク４３内の温水が開放型タンク５に導かれる。その後（３分間経過後）、流量調整弁５１，５２，５３が全閉され、温度のあまり高くない温水が密閉型タンク４３から開放型タンク５へ流れる不具合が未然に防止される。
【００４８】
（ｇ）流量調整弁の異常  
流量調整弁５１，５２，５３のいずれかに異常が生じた場合には、上記温度センサＴ４の検知温度に応じた制御に関わらず、残りの流量調整弁が全開される。この場合、出湯温度の制御ができなくなるが、密閉型タンク４３の温水が各熱源機１側に逆流して開放型タンク５に流れなくなるといった事態を回避することができ、開放型タンク５の湯切れを防ぐことができる。
【００４９】
（ｈ）変形例  
なお、上記実施形態では、３つの流量調整弁を用いたが、複数であれば、その数に限定はない。その他、この発明は上記実施形態に限定されるものではなく、要旨を変えない範囲で種々変形実施可能である。
【図面の簡単な説明】
【００５０】
【図１】一実施形態の構成を示す図。
【図２】一実施形態における熱源機の具体的な構成および初期循環回路を示す図
【図３】一実施形態における初期循環回路と出湯回路との切換条件を示す図。
【図４】一実施形態における熱源機の出湯回路を示す図。
【図５】一実施形態における除霜サイクルおよび温水循環サイクルを示す図。
【図６】一実施形態における除霜サイクルと温水循環サイクルの切換条件を示す図。
【図７】一実施形態における除霜サイクルおよび温水利用除霜サイクルを示す図。
【符号の説明】
【００５１】
１…熱源機、２…給水側主配管、３…給湯側主配管、４…密閉型タンクユニット、５…開放型タンク、６…水位検出手段、７…制御部、１１…圧縮機、１３…水熱交換器、１４…膨張弁（減圧器）、１５…室外熱交換器、２１…第１配管、２２…第１三方弁、２３…第２配管、２４…ポンプ、２５…第３配管、２６…第２三方弁、２７…第４配管、２８…第５配管、２９…第６配管、３１…熱交換器温度センサ、３２…流入側温度センサ、３３…流出側温度センサ、４３…密閉型タンク、５１，５２，５３…流量調整弁、Ｔ１〜Ｔ５…温度センサ
【図１】
0005068599.tif 000002
【図２】
0005068599.tif 000003
【図３】
0005068599.tif 000004
【図４】
0005068599.tif 000005
【図５】
0005068599.tif 000006
【図６】
0005068599.tif 000007
【図７】
0005068599.tif 000008